(57)【要約】【課題】血液等の体液を用いて実施できる新規な重症筋無力症の検査方法を提供すること。【解決手段】生体から採取した体液中の抗ＨＳＣ７１抗体を測定することを含む、重症筋無力症の検査方法を提供した。【効果】本発明により、血液等の体液を用いて実施できる新規なＭＧの検査方法が提供された。本発明の方法は、抗ＡＣｈＲ抗体の測定と同等かそれ以上、また抗ティティン抗体よりはるかに臨床的に有用である。さらに、本発明の方法は、ＭＧの診断、治療効果、治療方法の決定、予後判定に極めて有用であることが示された。また、本発明の検査方法において測定される抗ＨＳＣ７１抗体の値は、従来の検査方法により測定される抗ＡＣｈＲ抗体の値と相関関係は認められない。よって、血液を用いた簡便な免疫測定法により診断の確度を、抗ＡＣｈＲ抗体の測定と補完的に高めることができる。【選択図】  図１
2004257862.tif 000002
【特許請求の範囲】
【請求項１】
生体から採取した体液中の抗ＨＳＣ７１抗体を測定することを含む、重症筋無力症の検査方法。
【請求項２】
前記体液が血液、血清又は血漿である請求項１記載の方法。
【請求項３】
抗ＨＳＣ７１抗体と抗原抗体反応する物質を含む、重症筋無力症の検査薬。
【発明の詳細な説明】
【０００１】
【発明の属する技術分野】
本発明は、重症筋無力症の検査方法及びそのための試薬に関する。
【０００２】
【従来の技術】
重症筋無力症（以下、「ＭＧ」ということがある）は、神経筋接合部の後シナプス膜に存在するニコチン性アセチルコリンレセプター（以下、「ＡＣｈＲ」と記載することがある）に対する抗体が生じ、この抗体により神経筋伝達がブロックされる自己免疫疾患である。主な症状は、眼瞼下垂、複視などの眼症状、四肢、前頚筋の筋力低下、構音障害、嚥下障害、さらに呼吸障害である。
【０００３】
従来、ＭＧは、臨床徴候、血中抗ＡＣｈＲ抗体の測定（非特許文献１）や、筋電図検査法等により診断されている。また、血中ティティン（ｔｉｔｉｎ）抗体濃度とＭＧとの関連も報告されている（非特許文献２）。しかしながら、これらの方法では、確定診断が困難であり、さらなる診断方法が見出されれば、診断の確度をより高めることができ有利である。特に、血中抗ＡＣｈＲ抗体とは相関しない、新たな診断方法があれば、血液を用いた簡便な免疫測定法により診断の確度を補完的に高めることができ、有利である。
【０００４】
【非特許文献１】Ｗｉｌｌｃｏｘ  Ｎ．  １９９３，  Ｍｙａｓｔｈｅｎｉａ  ｇｒａｖｉｓ．  Ｃｕｒｒ．  Ｏｐｉｎ．  Ｉｍｍｕｎｏｌ．  ５：９１０−９１７
【非特許文献２】Ａｒａｌｉ，  Ｊ．Ａ．  ｅｔ  ａｌ．，  １９９０，  Ｐａｔｉｅｎｔｓ  ｗｉｔｈ  ｍｙａｓｔｈｅｎｉａ  ｇｒａｖｉｓ  ａｎｄ  ｔｈｙｍｏｍａ  ｈａｖｅ  ｉｎ  ｔｈｅｉｒ  ｓｅｒａ  ＩｇＧ  ａｕｔｏａｎｔｉｂｏｄｉｅｓ  ａｇａｉｎｓｔ  ｔｉｔｉｎ．    Ｃｌｉｎ．  Ｅｘｐ．  Ｉｍｍｕｎｏｌ．  ８２：２８４−２８８
【０００５】
【発明が解決しようとする課題】
本発明の目的は、血液等の体液を用いて実施できる新規なＭＧの検査方法を提供することである。
【０００６】
【課題を解決するための手段】
本願発明者らは、鋭意研究の結果、熱ショックタンパク質７０ファミリーの一員であるＨＳＣ７１（ｈｅａｔ  ｓｈｏｃｋ  ｃｏｇｎａｔｅ  ｐｒｏｔｅｉｎ  ７１）に対する血清中の抗体濃度が、ＭＧ患者では健常人や他の自己免疫疾患患者に比べて有意に高いことを見出し、本発明を完成した。
【０００７】
すなわち、本発明は、生体から採取した体液中の、生体から採取した体液中の抗ＨＳＣ７１抗体を測定することを含む、重症筋無力症の検査方法を提供する。また、本発明は、抗ＨＳＣ７１抗体と抗原抗体反応する物質を含む、重症筋無力症の検査薬を提供する。
【０００８】
【発明の実施の形態】
上記の通り、本発明の方法では、生体から採取した体液中の抗ＨＳＣ７１抗体を測定する。ＨＳＣ７１は、ヒトを含む広範囲の生物に存在する熱ショックタンパク質７０（ＨＳＰ７０）の一員であり、そのアミノ酸配列及びそれをコードする遺伝子の塩基配列が公知である。例えば、ヒトＨＳＣ７１のアミノ酸配列及びそれをコードする遺伝子の塩基配列は、ＧｅｎＢａｎｋ  ａｃｃｅｓｓｉｏｎ  Ｎｏ．  Ｙ００３７１に記載されている。
【０００９】
本発明の検査方法は、通常、ヒトに対して適用され、下記実施例においてもヒト血清が用いられているが、ＨＳＣ７１のアミノ酸配列は、広範囲の生物においてよく保存されていることから、ヒト以外の動物にも適用可能である。体液としては、血液並びにその成分である血清及び血漿を好ましい例として挙げることができる。
【００１０】
体液中の抗ＨＳＣ７１抗体の測定自体は、周知の免疫測定方法により行うことができる。免疫測定方法において抗ＨＳＣ７１抗体と抗原抗体反応する物質としては、天然のＨＳＣ７１でもよいが、取得の容易性から、遺伝子工学的に作製した組換えＨＳＣ７１が好ましい。抗ＨＳＣ７１抗体との抗原抗体反応が可能である限り、組換えＨＳＣ７１の一部分であってもよいし、ＨＳＣ７１以外の他の部分を含むものであってもよい。また、ＨＳＣ７１のアミノ酸配列中、少数、好ましくは数個以下のアミノ酸が置換、欠失又は挿入されたものであっても、抗ＨＳＣ７１抗体との抗原抗体反応が可能である限り許容することができる。なお、言うまでもなく、抗原として用いるＨＳＣ７１は、検査の対象となる動物のＨＳＣ７１を用いる（例えば、検査対象がヒトならば、ヒトＨＳＣ７１を用いる）ことが好ましい。上記の通り、アミノ酸配列及びそれをコードする遺伝子の塩基配列が公知であるので、組換えＨＳＣ７１は常法により容易に調製することができる。下記実施例にも、大腸菌を宿主として用いた遺伝子工学的手法によりヒトＨＳＣ７１を生産する方法が具体的に記載されている。
【００１１】
免疫測定方法自体は、周知であり、周知の免疫測定方法のいずれをも用いることができる。すなわち、反応形式に基づき分類すると、サンドイッチ法、競合法、凝集法等があり、標識に基づき分類すると、酵素免疫分析、放射免疫分析、蛍光免疫分析等があるがこれらのいずれをも用いることができる。これらのうち、操作が簡便で、正確な測定が可能であるサンドイッチ法が好ましく、とりわけ、安全で特殊な装置が不要である酵素免疫分析（ＥＬＩＳＡ）が好ましいが、これに限定されるものではない。
【００１２】
本発明は、さらに、抗ＨＳＣ７１抗体と抗原抗体反応する物質を含む、重症筋無力症の検査薬をも提供する。抗ＨＳＣ７１抗体と抗原抗体反応する物質は、上記の通りであり、その使用方法は、上記した免疫測定方法において、抗ＨＳＣ７１抗体と抗原抗体反応する抗原又はハプテンとして用いられる。
【００１３】
【実施例】
以下、本発明を実施例に基づきより具体的に説明する。もっとも、本発明は下記実施例に限定されるものではない。
【００１４】
材料及び方法
患者
病院で合計８６人のＭＧ患者（男性２０人、女性６６人）を治療した。表１に、この８６人のＭＧ患者の臨床的特徴と人数を示す。これらの患者は、臨床的、血清学的、薬理学的及び筋電図検査法に基づいてＭＧであると診断された。全ての患者は、全身性ＭＧであり、４８人の患者は、治療前にはＭＧＦＡ（米国重症筋無力症基金、Ｍｙａｔｈｅｎｉａ  Ｇｒａｖｉｓ  Ｆｏｕｎｄａｔｉｏｎ  ｏｆ  Ａｍｅｒｉｃａ）分類でクラス２ａ〜５に該当していた。他の３８人は治療開始後の患者であり、何人かは無徴候又は純粋に眼科徴候（ＭＧＦＡクラス１）のみを示していたが、臨床経過から明らかに全身性ＭＧであった。発症時の平均年齢は４２．３歳（４〜８４歳）であった。全ての患者は、抗コリンエステラーゼ剤による治療を受けていた。これらの患者のうち、７４人は胸腺摘除を受けており、５７人の患者がコルチコステロイド治療を受けており、３９人の患者が二重濾過又は免疫吸着カラムを用いた血漿交換療法を受けていた。何人かの患者は、抗コリンエステラーゼ剤以外のこれらの３種類の治療を重複して受けていた。これらの治療の前及び／又は全コースの後にＭＧＦＡ分類により患者を評価した。ＭＧＦＡ分類を用いてＭＧの重症度を分類し、患者を以下の通り５つのサブグループに分類した。（１）徴候なし、（２）クラス１：眼科徴候、（３）クラス２ａ／２ｂ：四肢の筋力が少し弱い、（４）クラス３ａ／３ｂ：四肢の筋力が中程度に弱い、（５）クラス４ａ／４ｂ／５：四肢の筋力が非常に弱い又は挿管法及び人工呼吸機支持が必要な呼吸不全がある。抗ＨＳＣ７１抗体価は、上記３種類の治療の前に得た血清と、上記３種類の治療開始半年後の血清を比較した。プレドニゾロンの投与量を漸減することにより症状が悪化する患者及び治療後再発する患者には、免疫抑制剤であるＦＫ−５０６を投与した。
【００１５】
【表１】
表１    患者の基礎的臨床特徴及び人数
2004257862.tif 000003
（  ）：治療前に試料の調査が可能であった患者
【００１６】
対照
ＭＧではない２７人の日本人の血清を分析した。９人は、平均年齢３４．８歳（２８〜４３歳）の健常人であった。１８人の血清は、ＭＧ以外の自己免疫疾患患者から選んだ。平均年齢３６．３歳（２１〜５８歳）の多発性硬化症患者からの血清のうち、１１人が神経免疫不全、陽性対照としての原田病患者は７人であった。原田病は、自己免疫により引き起こされるブドウ膜炎であり、患者血清中の抗ＨＳＣ７０抗体が高値であることが報告されている。
【００１７】
血清試料
全血清試料数は１５７であり、一人の患者当たり１〜５回採取した（表２）。全ての血清は−７０℃で保存した。重症度は、採血の際にＭＧＦＡ分類を用いて評価した。
【００１８】
【表２】
表２  ＭＧ患者からの血清試料
2004257862.tif 000004
【００１９】
抗アセチルコリンレセプター（ＡｃｈＲ）抗体価及び抗ティティン（ｔｉｔｉｎ）抗体価の測定
抗ＡｃｈＲ抗体試験のために１０７の血清試料が利用可能であった。抗ＡｃｈＲ抗体の力価は、標準的な放射免疫測定により測定した。３２例からの４８の試料については抗ティティン抗体を測定した。抗ティティン抗体は、治療開始前に４８人の患者から採取した血清について測定した。抗ティティン抗体の力価は、市販のＥＬＩＳＡキット（Ａｎｔｉ−Ｔｉｔｉｎ−Ａｎｔｉｂｏｄｙ  ＥＬＩＳＡ  ｋｉｔ  （ドイツ国ＨｕｍｂｕｒｇのＤＬＤ  Ｌｉｍｉｔｅｄ）を用いて測定した。抗ティティン抗体の力価は、測定した吸光度を、標準の吸光度で除することにより算出した。得られた結果による抗ティティン抗体濃度の正常範囲は＜１．０である。
【００２０】
ヒトＨＳＣ７１のクローニング
Ｐ３６細胞（ヒトメラノーマセルライン）の全ＲＮＡを、単一工程グアニジウムイソチオシアネート−フェノール−クロロホルム抽出法（ＴＲＩｚｏｌ（商品名）、米国メリーランド州ＧａｉｔｈｅｒｓｂｕｒｇのＧＩＢＣＯ  ＢＲＬ社製）により調製した。オリゴヌクレオチドプライマーは、ゲノミックヒトＨＳＣ７１ＤＮＡ配列（ＧｅｎＢａｎｋ  ａｃｃｅｓｓｉｏｎ  Ｎｏ．  Ｙ００３７１）及び隣接する部分にクローニングのための制限酵素部位（制限酵素名：ＸｈｏＩ及びＢａｍＨＩ）を付加して設計した。ｃＤＮＡの調製及びヒトＨＳＣ７１を増幅するためのＰＣＲは、Ｔａｋａｒａ  ＲＮＡ  ｋｉｔ  ｗｉｔｈ  ＡＭＶ  ＲＴａｓｅ（宝酒造）を用いて行った。用いたＰＣＲプライマーは次の通りであった。
センスプライマー：５’−ｇｇｇｃｔｃｇａｇａｔｇｔｃｃａａｇｇｇａｃｃｔｇｃａ−３’
アンチセンスプライマー：５’−ｇｇｇｇａｔｃｃｇｇｃｔｔａａｔｃａａｃｃｔｃｔｔｃａａｔ−３’
ＰＣＲは、９４℃、１分間の変性工程；５５℃、２分間のアニーリング工程：及び７２℃、２分間の伸長工程から成るサイクルを３６回繰り返すことにより行った。得られたＰＣＲ産物をｐＢｌｕｅｓｃｒｉｐｔ  ＩＩ  ＳＫ（商品名）ファジミドベクターのクローニング部位に挿入してクローニングした。得られた組換えベクター中の挿入物の塩基配列を、ＡＢＩ  ＤＮＡシーケンサー（米国カリフォルニア州ＦｏｓｔｅｒのＡＢＩ  Ａｐｐｌｉｅｄ  Ｂｉｏｓｙｓｔｅｍｓ  Ｄｉｖｉｓｉｏｎ）を用い、二本鎖ジデオキシシーケンシング法により決定した。
【００２１】
組換えヒトＨＳＣ７１の発現
組換えヒトＨＳＣ７１の合成のために、ＨＳＣ７１  ｃＤＮＡを組換えｐＢｌｕｅｓｃｒｉｐｔ  ＩＩ  ＳＫ（商品名）から制限酵素ＸｈｏＩ及びＢａｍＨＩにより切り出し、発現ベクターｐＥＴ−１５ｂ（米国Ｎｏｖａｇｅｎ社）のクローニング部位にもう１箇所のＸｈｏＩ切断部位を導入してＮ末端にＸｈｏＩ部位をもちＣ末端にＢａｍＨＩ部位をもつインサートＤＮＡの挿入を可能となる様に修飾したベクターに挿入した。得られた組換えベクターで大腸菌ＢＬ２１（ＤＥ）を形質転換し、１ｍＭのイソプロピルβ−Ｄ−チオガラクトピラノシド（ＩＰＴＧ）（片山化学）を添加して組換えタンパク質の合成を誘導した。組換え６  Ｘ  Ｈｉｓ−ＨＳＣ７１タンパク質（Ｎ末端に発現ベクターｐＥＴ−１５ｂ由来のアミノ酸配列であるＭｅｔ  Ｇｌｙ  Ｓｅｒ  Ｓｅｒに引き続き６個のヒスチジンが続き、更にＳｅｒ  Ｓｅｒ  Ｇｌｙ  Ｌｅｕ  Ｖａｌ  Ｐｒｏ  Ａｒｇ  Ｇｌｙ    Ｓｅｒ  Ｈｉｓ  Ｍｅｔが続き、その後に引き続いてＨＳＣ７１のアミノ酸配列が続く）は、Ｎｏｖａｇｅｎ社の指示書に従い、ニッケルキレート親和性クロマトグラフィー（６個のヒスチジンがニッケルに結合する性質を利用）により、細胞抽出物から精製した。ニッケルキレート親和性クロマトグラフィーにより精製した組換えＨＳＣ７１をＳＤＳ−ＰＡＧＥで分析したところ、分子量は７１ｋＤａであった。
【００２２】
ＥＬＩＳＡによる抗ＨＳＣ７１抗体の測定
１０μｇ／ｍｌの組換えヒトＨＳＣ７１溶液（ＰＢＳ中）で、平底マイクロタイタープレートを被覆した。一夜インキュベートした後、０．０５％  Ｔｗｅｅｎ  ２０（商品名）、１  ｍＭ  ＥＤＴＡ、０．２５％  ＢＳＡ及び０．０５％  ＮａＮ３を含むＰＢＳで非特異結合部位をブロッキングした。各ウェルに患者血清又は対照血清の１：２００希釈物を入れ、室温で２時間インキュベートした。プレートを洗浄し、アルカリフォスファターゼ結合ヤギ抗ヒトＩｇＧ抗体（Ｓｉｇｍａ−Ａｌｄｒｉｃｈ社）の１：１０００希釈物を加え、室温で２時間インキュベートした。発色のために、ウェルを洗浄し、ｐ−ニトロフェニルフォスフェート基質溶液を加え、波長４０５  ｎｍの吸光度を測定した。
【００２３】
統計学的解析
異なるグループ、すなわち、（１）ＭＧ群と対照群、（２）臨床重症度のＭＧＦＡ分類サブグループ、（３）胸腺病理、間の平均抗体価は、Ｗｅｌｔｃｈのｔ検定により比較した。ＦＫ−５０６治療サブグループを含む、長期間に亘る治療前後の比較は、依存性の対ｔ検定（ｐａｉｒｅｄ  ｔ  ｔｅｓｔ  ｏｆ  ｄｅｐｅｎｄｅｎｃｅ）により比較した。また、各患者血清の抗ＨＳＣ７１抗体価と抗ティティン抗体価、抗ＨＳＣ７１抗体価と抗ＡｃｈＲ抗体価を比較した。
【００２４】
結果
１．  ＭＧ患者の抗ＨＳＣ７１抗体価
１．１  抗ＨＳＣ７１抗体
抗ＨＳＣ７１抗体を４８例の未治療のＭＧ患者、対照（健常者）９人、他の自己免疫疾患である多発性硬化症（ＭＳ）患者１１人について調べた。結果を図１に示す。ＭＧ症例では、健常者および多発性硬化症患者に比較して明らかな高値を示し、統計学的有意差がみられた。ＭＧ患者のうち２８人では、抗ＨＳＣ７１抗体価が１．００を超えていた。
【００２５】
１．２  ＭＧの疾患重度別解析
ＭＧ患者８６人の延べ血清数１５７検体について、血清採取時のＭＧＦＡ分類と、抗ＨＳＣ７１抗体価との関係を検討した。結果を図２に示す。抗ＨＳＣ７１抗体価はＭＧ患者の重症度とは統計学的に有意な関係はみられなかった。臨床症状増悪時に一致して抗体価が上昇することも、逆に症状軽快時に一致して低下することもなかった。
【００２６】
１．３  胸腺組織学的所見と抗ＨＳＣ７１抗体価の関連
治療前に血清が得られた症例４８例のうち、胸腺摘除を施行し、組織学的検索をし得た症例は３５例であり、内訳は萎縮胸腺あるいは正常胸腺が１５例、過形成が６例、浸潤を含めた胸腺腫が１４例であった。図３に示す通り、胸腺の組織学的所見と治療前の抗ＨＳＣ７１抗体値に統計学的有意差は認められなかった。
【００２７】
１．４  ＡＣｈＲ抗体値
抗ＨＳＣ７１抗体と抗ＡｃｈＲ抗体の両者を測定した１０７例についての相関を検討した。結果を図４に示す。抗ＡＣｈＲ抗体価と抗ＨＳＣ７１抗体価とは有意な相関関係はみられなかった。
【００２８】
１．５  抗ティティン抗体値
抗ＨＳＣ７１抗体と抗ティティン抗体を測定した４８検体についての相関を検討した。結果を図５に示す。抗ティティン抗体価と抗ＨＳＣ７１抗体価とに有意な相関関係はみられなかった。
【００２９】
２．  抗ＨＳＣ７１抗体値と治療
治療開始後半年以上経過し、治療前後で血清中抗ＨＳＣ７１抗体値を測定した２１症例の治療による抗ＨＳＣ７１抗体値変化を解析した。１例を除き２０症例でＭＧＦＡ分類で１段階以上の改善が認められた（ただし、経過中、治療に抵抗性の症例、術後のクリーゼを起こした症例、ステロイドの減量により症状の増悪した症例も見られた）。治療前後の抗体値を測定した結果を図６に示す。これらの２１例は治療後、臨床症状の軽快とともに抗ＨＳＣ７１抗体の全般的な減少がみられ、統計学的に有意であった。抗体価の減少がみられないか、あるいは上昇した症例も数例いた。
【００３０】
３．  治療感受性と抗ＨＳＣ７１抗体値
（ａ）  治療抵抗性群の抗ＨＳＣ７１抗体値
胸腺摘除術、血漿交換療法、ステロイド療法に抵抗性を示す治療抵抗性症例が９例あり、図７のａに示す通り、これら治療抵抗群の症例では治療前後で抗ＨＳＣ７１抗体価の減少が見られなかった。
【００３１】
（ｂ）  治療感受性群の抗ＨＳＣ７１抗体値
治療によく反応した症例（ＭＧを増悪させることなく、プレドニゾロンを順調に減量することができたか、術後再増悪をきたさなかった症例）は１０症例あり、図７のｂに示す通り、これら治療感受性群の症例では症状の改善と平行して抗ＨＳＣ７１抗体値が減少し、統計学的に有意であった。治療後抗体価の上昇した症例が１例あるが、慢性間接リウマチを合併している患者である。
【００３２】
４．  治療抵抗群のＦＫ−５０６治療と抗ＨＳＣ７１抗体値
治療抵抗群のうち、７例に免疫抑制薬であるＦＫ−５０６使用により臨床症状は改善し、プレドニゾロンも減量可能となった。図８に示す通り、ＦＫ−５０６投与後、ＭＧの臨床症状改善と平衡して抗ＨＳＣ７１抗体価も有意な低下が認められた。
【００３３】
【発明の効果】
本発明により、血液等の体液を用いて実施できる新規なＭＧの検査方法が提供された。図４及び図５に示すように、本発明の方法は、抗ＡＣｈＲ抗体の測定と同等かそれ以上、また抗ティティン抗体よりはるかに臨床的に有用である。さらに、本発明の方法は、ＭＧの診断（図１）、治療効果、治療方法の決定、予後判定（図６、７、８、９）に極めて有用であることが示された。また、本発明の検査方法において測定される抗ＨＳＣ７１抗体の値は、従来の検査方法により測定される抗ＡＣｈＲ抗体の値と相関関係は認められない。よって、血液を用いた簡便な免疫測定法により診断の確度を、抗ＡＣｈＲ抗体の測定と補完的に高めることができる。
【００３４】
【配列表】
2004257862.tif 000005
【図面の簡単な説明】
【図１】抗ＨＳＣ７１抗体を４８例の未治療のＭＧ患者、対照（健常者）９人、他の自己免疫疾患である多発性硬化症（ＭＳ）患者１１人について調べた結果を示す図である。
【図２】ＭＧ患者８６人の延べ血清数１５７検体について、血清採取時のＭＧＦＡ分類と、抗ＨＳＣ７１抗体価との関係を示す図である。
【図３】胸腺の組織学的所見と治療前の抗ＨＳＣ７１抗体値との関係を示す図である。
【図４】抗ＨＳＣ７１抗体と抗ＡｃｈＲ抗体の両者を測定した１０７例についての相関を示す図である。
【図５】抗ＨＳＣ７１抗体と抗ティティン抗体を測定した４８検体についての相関を示す図である。
【図６】治療開始後半年以上経過し、治療前後で血清中抗ＨＳＣ７１抗体値を測定した２１症例の治療による抗ＨＳＣ７１抗体値変化を解析した結果を示す図である。
【図７】ａは、治療抵抗群の症例における治療前後の抗ＨＳＣ７１抗体値の変化を示す図である。ｂは、治療感受性群における、治療前後の抗ＨＳＣ７１抗体値の変化を示す図である。
【図８】治療抵抗群のＦＫ−５０６治療の前後における抗ＨＳＣ７１抗体値の変化を示す図である。
【図１】
2004257862.tif 000006
【図２】
2004257862.tif 000007
【図３】
2004257862.tif 000008
【図４】
2004257862.tif 000009
【図５】
2004257862.tif 000010
【図６】
2004257862.tif 000011
【図７】
2004257862.tif 000012
【図８】
2004257862.tif 000013